(57)【要約】【課題】照明装置を取り付け可能な自転車用ヘルメットにおいて、照明装置の取付位置を容易に変更できるようにする。【解決手段】自転車用ヘルメット１０は、頭部を保護するヘルメットであって、ヘルメット本体１２と、ガイド部１４と、を備えている。ヘルメット本体は、頭部を覆うことができるものである。ガイド部は、ヘルメット本体に設けられ、照明装置１６の取付位置が移動可能に照明装置１６を案内するためのものである。【選択図】図２
2008163500.tif 000002
【特許請求の範囲】
【請求項１】
頭部を保護する自転車用ヘルメットであって、
前記頭部を覆うことができるヘルメット本体と、
前記ヘルメット本体に設けられ、自転車部品の取付位置が移動可能に前記自転車部品を案内するガイド部と、
を備えた自転車用ヘルメット。
【請求項２】
前記自転車用部品を取付可能であり、前記ガイド部に案内される取付台と、
前記ガイド部の案内方向の複数の位置のいずれかに前記取付台を位置決め可能な位置決め機構と、
をさらに備える、請求項１に記載の自転車用ヘルメット。
【請求項３】
前記ガイド部は、ヘルメット本体の頭頂部を通るように配置されたガイドレールを有し、
前記位置決め機構は、前記ガイドレールの複数の位置で前記取付台を係止可能な係止部を有する、請求項２に記載の自転車用ヘルメット。
【請求項４】
前記ヘルメット本体は、前記頭頂部を通るように配置された取付凹部を有し、
前記ガイド部は、前記取付凹部に設けられている、請求項２又は３に記載の自転車用ヘルメット。
【請求項５】
前記自転車部品は照明装置である、請求項１から４のいずれかに記載の自転車用ヘルメット。
【請求項６】
前記取付台は、前記自転車部品と一体形成されている、請求項１から５のいずれか１項に記載の自転車用ヘルメット。
【請求項７】
前記ガイド部及び前記位置決め機構は、前記ヘルメット本体と一体形成されている、請求項１から６のいずれか１項に記載の自転車用ヘルメット。
【請求項８】
前記ヘルメット本体に設けられ、前記自転車部品に電力を供給する電源装置をさらに備える、請求項１から７のいずれか１項に記載の自転車用ヘルメット。
【請求項９】
前記ヘルメット本体の後端部に設けられ、前記ヘルメット本体の後方を照射する尾灯をさらに備える、請求項１から８のいずれか１項に記載の自転車用ヘルメット。
【発明の詳細な説明】
【技術分野】
【０００１】
本発明は、ヘルメット、特に、頭部を保護する自転車用ヘルメットに関する。
【背景技術】
【０００２】
自転車の走行時の転倒などに備えるために、頭部を保護するヘルメットが自転車レースなどで使用されている。この種の自転車用ヘルメットに装着可能な照明装置（自転車部品の一例）が従来知られている（特許文献１参照）。このような照明装置をヘルメットに装着できると、通常は照明装置が装着されていないロードレーサやマウンテンバイク等の競技用自転車を使用しても、２４時間の自転車マラソンレース等で夜間に走行するときに便利である。
【０００３】
従来の自転車用ヘルメットは、ヘルメットに形成された通気孔を利用して取り付けられた取付具を有しており、取付具に着脱自在に照明装置が取り付けられている。取付具は、２箇所の通気孔を挿通するベルトによりヘルメットに固定されている。この照明装置を装着可能な自転車用ヘルメットでは、取付具に対して着脱できるので、夜間以外は取り外して使用できるために便利である。
【特許文献１】特開２００２−２８９０３０号公報
【発明の開示】
【発明が解決しようとする課題】
【０００４】
前記従来の構成では、取付具をヘルメットに取り付けると、ヘルメットを脱いでベルトを付け直して取付具の取付位置を変えない限り、自転車部品である照明装置の取付位置は常に同じ位置になる。このため、走行中に前方の照射位置を変更するためには、頭を前後に動かさなければならず不便である。
【０００５】
本発明の課題は、照明装置を取り付け可能な自転車用ヘルメットにおいて、自転車部品の取付位置を容易に変更できるようにすることにある。
【課題を解決するための手段】
【０００６】
発明１に係る自転車用ヘルメットは、頭部を保護するヘルメットであって、ヘルメット本体と、ガイド部と、を備えている。ヘルメット本体は、頭部を覆うことができるものである。ガイド部は、ヘルメット本体に設けられ、自転車部品の取付位置が移動可能に自転車部品を案内するためのものである。
【０００７】
このヘルメットでは、頭部を覆うことができるヘルメット本体に設けられたガイド部で自転車部品を案内すると、自転車部品の取付位置を移動させることができる。ここでは、ヘルメット本体に自転車部品の取付位置を移動可能なガイド部を設けたので、自転車部品の取付位置を容易に変更できる。特に、自転車部品として照明装置を用いた場合、湾曲しているヘルメット本体への取付位置が移動可能に照明装置が案内されるので、取付位置を変更すると照射位置も変更できる。
【０００８】
発明２に係る自転車用ヘルメットは、発明１に記載のヘルメットにおいて、自転車部品を取付可能であり、ガイド部に案内される取付台と、ガイド部の案内方向の複数の位置のいずれかに取付台を位置決め可能な位置決め機構と、をさらに備えている。この場合には、自転車部品を取り付け可能な取付台が位置決め機構により位置決めされるので、各取付位置が一定に維持され、自転車部品が照明装置の場合は照射位置も一定に維持される。
【０００９】
発明３に係る自転車用ヘルメットは、発明２に記載のヘルメットにおいて、ガイド部は、ヘルメット本体の頭頂部を通るように配置されたガイドレールを有し、位置決め機構は、ガイドレールの複数の位置で取付台を係止可能な係止部を有する。この場合には、ガイド部にガイドレールを設けたので、取付台が確実に案内されるとともに、ガイドレールの複数の位置で取付台を係止可能であるので、位置決めを確実に行える。
【００１０】
発明４に係る自転車用ヘルメットは、発明２又は３に記載のヘルメットにおいて、ヘルメット本体は、頭頂部を通るように配置された取付凹部を有し、ガイド部は、取付凹部に設けられている。この場合には、取付凹部に自転車部品が配置されるので、自転車部品がヘルメット本体の外側面からあまり突出しなくなり、自転車部品が走行中に木の枝等の他のものに引っ掛かりにくくなる。
【００１１】
発明５に係る自転車用ヘルメットは、発明１から４のいずれかに記載のヘルメットにおいて、自転車部品は照明装置である。この場合には、自転車部品が照明装置であるので、照明装置の照射位置を容易に変更できる。
【００１２】
発明６に係る自転車用ヘルメットは、発明１から５のいずれかに記載のヘルメットにおいて、取付台は、自転車部品と一体形成されている。この場合には、取付台が自転車部品と一体形成されているので全体をコンパクトな構成にすることができるとともに部品点数を削減できる。
【００１３】
発明７に係る自転車用ヘルメットは、発明１から６のいずれかに記載のヘルメットにおいて、ガイド部及び位置決め機構は、ヘルメット本体と一体形成されている。この場合には、ガイド部及び位置決め機構がヘルメット本体と一体形成さているので、全体をコンパクトにすることができるとともに部品点数を削減できる。
【００１４】
発明８に係る自転車用ヘルメットは、発明１から７のいずれかに記載の装置において、
ヘルメット本体に設けられ、自転車部品に電力を供給する電源装置をさらに備えるこの場合には、電源装置が自転車部品と別に設けられているので、電源の交換が容易であるとともに、電源の容量を大きくすることができ長時間の動作が可能になる。
【００１５】
発明９に係る自転車用ヘルメットは、発明１から８のいずれかに記載のヘルメットにおいて、ヘルメット本体の後端部に設けられ、ヘルメット本体の後方を照射する尾灯をさらに備える。この場合には、後方からの視認性が向上する。
【発明の効果】
【００１６】
本発明によれば、ヘルメット本体に自転車部品の取付位置を移動可能なガイド部を設けたので、自転車部品の取付位置を容易に変更できる。特に、自転車部品として照明装置を用いた場合、湾曲しているヘルメット本体への取付位置が移動可能に照明装置が案内されるので、取付位置を変更すると照射位置も変更できる。
【発明を実施するための最良の形態】
【００１７】
図１〜図３において、本発明の一実施形態による自転車用ヘルメット１０は、頭部ＨＤを保護するためのものであり、頭部ＨＤを覆うことができるヘルメット本体１２と、ヘルメット本体１２に設けられ、照明装置（自転車部品の一例）１６の取付位置が移動可能に照明装置１６を案内するガイド部１４と、を備えている。また、ヘルメット１０は、照明装置１６を取付可能であり、ガイド部１４に案内される取付台３０と、ガイド部１４の案内方向の複数の位置のいずれかに取付台３０を位置決め可能な位置決め機構３４と、をさらに備えている。なお、以降の説明でヘルメット１０の前後とは、頭部ＨＤにかぶったときに前頭部に接触する部分が前部であり、後頭部に接触する部分が後部である。ヘルメット１０は、ガイド部１４に着脱自在に装着可能な照明装置１６と、照明装置１６に電力を供給する電源装置１８と、ヘルメット本体１２の後端部に設けられた尾灯２０と、をさらに備えている。
【００１８】
ヘルメット本体１２は、外側面が頭頂部ＨＰを含む頭部ＨＤを覆うことができるように前後左右に湾曲した碗形状をした硬質合成樹脂製の外側部材２２と、外側部材２２の内側に形成された衝撃吸収用の合成樹脂製の内側部材２４とを有している。ヘルメット本体１２には、外側部材２２及び内側部材２４を貫通して複数の通気孔２６が形成されている。
【００１９】
外側部材２２は、外側面の前後方向（図２左右方向）長さが左右方向（図２紙面直交方向）長さより長く湾曲して形成されており、左右方向の中心には、頭頂部ＨＰを通るように前後方向に延びるスリット２２ａが形成されている。このスリット２２ａはガイド部１４としても機能する。
【００２０】
内側部材２４は、スリット２２ａ形成部分にスリット２２ａより幅広の取付凹部（図５）２４ａを有している。取付凹部２４ａは、ヘルメット本体１２の頭頂部ＨＰを通るように湾曲して形成されている。内側部材２４の内側面は頭部ＨＤに沿うように凹んで形成されている。
【００２１】
ガイド部１４は、外側部材２２のスリット２２ａを挟んでその左右の所定幅で帯状に構成された１対のガイドレール４２を有している。ガイドレール４２は、取付台３０を前後方向に案内するためのものである。具体的には、ガイドレール４２は、外側部材２２のスリット２２ａを挟んだ両側に他の部分より薄く形成されており、その段差部分で取付台３０を案内する。スリット２２ａは、取付凹部２４ａより幅が狭く形成されており、ヘルメット本体１２の頭頂部ＨＰを通るように外側面に配置されている。したがって、ガイドレール４２は、図５に示すように、外側部材２２に取付凹部２４ａの壁からオーバーハングするように１対設けられている。
【００２２】
取付台３０は、この実施形態では、照明装置１６と一体形成されている。具体的には、取付台３０は、照明装置１６の後述するケース部材４０と一体形成された丸棒状のピン部材であり、たとえばケース部材４０のそれぞれの側面に２本ずつ突出して形成されている。
【００２３】
位置決め機構３４は、ガイドレール４２の下面に形成された円弧状に凹んだ１対の係止部４４と、取付凹部２４ａの底面に配置された付勢部材４６と、を有している。係止部４４は、スリット２２ａを挟んでガイドレール４２のオーバーハングした下面にガイド方向に並べて多数形成されており、取付台３０の外周面が係合する形状である。付勢部材４６は、たとえば、４フッ化エチレンゴムやウレタンゴムなどの滑りやすくかつ弾性を有する合成樹脂弾性体製の帯状の部材であり、取付台３０を係止部４４に向けて付勢する部材である。この付勢力より取付台３０がガイドレール４２の複数の位置のいずれかに位置決めされる。
【００２４】
照明装置１６は、図４及び図５に示すように，内部にたとえばＬＥＤ（発光ダイオード）等の図示しない光源を有するものであり、ヘルメット１０を着用した状態でライダーの前方を照射可能である。照明装置１６は、頭頂部ＨＰより前方に配置するのが好ましい。照射装置１６は、光源が内部に配置されたケース部材４０を有している。ケース部材４０は、スリット２２ａ内に配置可能な幅を有しており、高さは外側部材２２の外側面から僅かに突出している。このようにスリット２２ａ内に照明装置１６を配置できるので、照明装置１６が外側部材２２からあまり突出しなくなり、走行中に照明装置１６が木の枝などの他のものに引っ掛かりにくくなる。ケース部材４０の後部には、スイッチ５０が設けられている。ケース部材４０の前部には、光源からの光を収束・拡散するレンズ５２が配置されている。スイッチ５０は、たとえば、手で操作しやすくかつオンオフがわかりやすいシーソー型のスイッチである。なお、スイッチの形式はシーソー型に限定されず、押しボタン型やスライド型のスイッチでもよい。また、周囲の照度を検出する照度センサを設け、照度センサの出力に応じてオンオフするようにしてもよい。
【００２５】
電源装置１８は、図１及び図２に示すように、照明装置１６と離反したヘルメット本体１２の外側面に装着可能である。電源装置１８は、照明装置１６と同様に係止部４４に係合する取付台５５が一体形成されたケース６０を有している。したがって、この実施形態では、電源装置１８もガイドレール４２に沿って移動可能であり、かつガイドレール４２のガイド方向の複数の位置で位置決め可能である。電源装置１８は、頭頂部ＨＰより後方に配置するのが好ましい。ケース６０は、開閉可能でありかつ水密に封止されている。ケース６０の内部には、電源としての電池を着脱可能に収納できる。電源装置１８は、照明装置１６と螺旋状にカールした電源コード６２により電気的に接続されている。また、尾灯２０とも螺旋状にカールした電源コード６４により電気的に接続されている。
【００２６】
尾灯２０は、ヘルメット本体１２の後方を照射可能なものである。尾灯２０は、ガイドレール４２の後端部にたとえばねじ部材などの適宜の固定手段により着脱可能に固定されている。尾灯２０にも照明装置１６と同様に図示しないスイッチが設けられている。また、尾灯２０をガイドレール４２から取り外すと、電源装置１８や照明装置１６をヘルメット本体１２から取り外すことができる。
【００２７】
このような構成の自転車用ヘルメット１０において、照明装置１６の照射位置を変更する場合には、以下のような操作を行う。まず、ケース部材４０を付勢部材４６に向けて片手で押圧して係止部４４と取付台３０との係合を解除する。係合を解除した状態でケース部材４０を前後いずれかに移動させると、取付台３０がガイドレール４２により案内されて照明装置１６の取付位置が変化する。そしてその位置で押圧した手を離すと、係止部３３のいずれかに取付台３０が係合して位置決めされる。ここで、ガイドレール４２が湾曲しているので、取付位置を変更すると照明装置１６の照射位置も変化する。これにより、ライダーは、照射位置を遠近いずれかに変化させることができる。たとえば、照明装置１６を頭頂部ＨＰ側に移動させるとライダーから離れる方向に照射位置が変化し、前方に移動させるとライダーに接近する方向に照射位置が変化する。
【００２８】
ここでは、ヘルメット本体１２の通常は湾曲している外側面にガイド部１４を設けたので、照明装置１６の取付位置を調整することにより照射位置も変更される。このため、照明装置１６の照射位置を容易に変更できるようになる。また、照明装置１６の取付位置の調整を片手で簡単にできるので、走行中に片手で照射位置を簡単に変更できる。
【００２９】
また、電源装置１８と照明装置１６とを別体にしたので、照明装置１６の小型化を図れ、照明装置１６の移動がより容易になる。
【００３０】
＜他の実施形態＞
（ａ）前記実施形態では、ガイドレール４２を、ヘルメット本体１２の外側部材２２と一体形成したが、別体にしてもよい。
【００３１】
（ｂ）前記実施形態では、取付台３０を照明装置１６のケース部材４０と一体形成したが別体にしてもよい。たとえば、ヘルメットに照明装置を設けずに、取付台を電源が内蔵された汎用の照明装置を取付可能に構成してもよい。また、照明装置と一体に取付台を設けた場合にも、照明装置をヘルメットの構成に加えずにオプション等で別売りにしてもよい。
【００３２】
（ｃ）前記実施形態では、係止部４４を有する位置決め機構３４を例示したが、位置決め機構は、前記構成に限定されず、取付台を案内方向の複数の取付位置のいずれかに位置決めできるものであれば、どのような構成でもよい。
【００３３】
（ｄ）前記実施形態では、突出を抑えるためにスリット２２ａ内に照明装置１６を配置していたが、スリット２２ａ外に照明装置を配置してもよい。
【００３４】
（ｅ）前記実施形態では、照明装置１６と電源装置１８とを別体にしたが一体にしてもよい。
【００３５】
（ｆ）前記実施形態では、スイッチ５０を照明装置１６に設けたが、スイッチを電源装置に設けてもよい。この場合、尾灯のスイッチを省略してもよい。
【００３６】
（ｇ）前記実施形態では、自転車部品として照明装置を例示したが、自転車部品は反射鏡や尾灯やアンテナ（たとえば、ＧＰＳや無線通信用）等でもよい。
【図面の簡単な説明】
【００３７】
【図１】本発明の一実施形態による自転車用ヘルメットの斜視図。
【図２】そのスリット形成部分の縦断面図。
【図３】図３の前部縦断面拡大図。
【図４】照明装置配置部分の縦断面拡大図。
【図５】照明装置配置部分の横断面拡大図。
【符号の説明】
【００３８】
１０  自転車ヘルメット
１２  ヘルメット本体
１４  ガイド部
１６  照明装置（自転車部品の一例）
１８  電源装置
２０  尾灯
２４ａ  取付凹部
３０  取付台
３４  位置決め機構
４２  ガイドレール
４４  係止部
ＨＤ  頭部
ＨＰ  頭頂部
【図１】
2008163500.tif 000003
【図２】
2008163500.tif 000004
【図３】
2008163500.tif 000005
【図４】
2008163500.tif 000006
【図５】
2008163500.tif 000007